(57)【要約】【課題】水中に含まれる微小な水生生物の生物個体にダメージを与えることなく生きたまま採取して濃縮できる水生生物のサンプリング装置及び水生生物のサンプリング方法を提供すること。【解決手段】内部の貯留水Ｗ１が一定水量となるように調整可能な貯水容器１内に、上端開口３ａ及び下端開口３ｂを有し、貯水容器１内を外側と内側の２つの空間１Ａ、１Ｂに区画する濾布３と、該濾布３の下端開口３ｂに水生生物を収集するための収集容器４とを設置し、予め貯水容器１内に貯留水Ｗ１を濾布３の上端開口ａが露出する程度に貯留させ、濾布３の内側に上端開口３ａからサンプリング対象となる水生生物を含む水Ｗ２を供給した後、貯水容器１内における濾布３の外側にある貯留水Ｗ１を排水することにより、濾布３の内側に残留する水生生物を含む水Ｗ２を収集容器４内に収集する。【選択図】    図１
2008286708.tif 000002
【特許請求の範囲】
【請求項１】
内部に貯留水が一定水量となるように調整可能に貯留される貯水容器と、
上端開口及び下端開口を有し、前記貯水容器内の貯留水中に前記上端開口が露出するように浸漬され、前記貯水容器内を外側と内側の２つの空間に区画する濾布と、
前記貯水容器内における前記濾布の外側にある貯留水を排水するための排水口と、
前記濾布の前記下端開口に設けられ、前記貯水容器内の貯留水が排水された際に前記濾布の内側の水生生物を含む水を貯留させて水生生物を収集する収集容器とを備えることを特徴とする水生生物のサンプリング装置。
【請求項２】
内部の貯留水が一定水量となるように調整可能な貯水容器内に、上端開口及び下端開口を有し、前記貯水容器内を外側と内側の２つの空間に区画する濾布と、該濾布の前記下端開口に水生生物を収集するための収集容器とを設置し、予め前記貯水容器内に貯留水を前記濾布の前記上端開口が露出する程度に貯留させ、前記濾布の内側に前記上端開口からサンプリング対象となる水生生物を含む水を供給した後、前記貯水容器内における前記濾布の外側にある貯留水を排水することにより、前記濾布の内側に残留する水生生物を含む水を前記収集容器内に収集することを特徴とする水生生物のサンプリング方法。
【発明の詳細な説明】
【技術分野】
【０００１】
本発明は水生生物のサンプリング装置及び水生生物のサンプリング方法に関し、詳しくは、水中に含まれる水生生物を生きたまま採取して濃縮することが可能な水生生物のサンプリング装置及び水生生物のサンプリング方法に関する。
【背景技術】
【０００２】
従来、水中に棲息するプランクトン等の水生生物を採取する場合、ロープの先端に濾布をつけて水中を引っ張り、濾布内に付着した水生生物を採取したり、ロープの先端にバケツ等の容器をつけて所定量の水を採取し、その水を濾過することによって水生生物を濃縮したりしている。
【０００３】
また、特許文献１には、ポンプによって汲み上げられた水を、担体を挿入したカラム内に流し込み、水中の微生物を担体上で濃縮して採取することが開示されている。
【特許文献１】特開２００３−１４４１３４号公報
【発明の開示】
【発明が解決しようとする課題】
【０００４】
水中に棲息する微小な水生生物を採取する場合、目的の水生生物を生きたまま採取、濃縮したいという要請がある。例えば、大学あるいは水産試験場等の研究機関における試験研究の目的で、水中から目的とするサイズ分画のプランクトン等の水生生物を採取及び濃縮する場合等である。また、栽培漁業や培養における異生物混入の探査等においても必要とされる。
【０００５】
しかし、上記従来方法では、いずれの場合も採取された水生生物は濃縮のための濾過時に濾布内面や担体に強く圧接され、細胞が傷つき死滅してしまうことがある。従って、活性が高い状態で水中の生物を採取して濃縮することが極めて困難であるという問題がある。また、細胞が傷つけられて破損した場合などには、生物の細胞密度を正しく評価できない可能性がある。
【０００６】
そこで、本発明は、水中に含まれる微小な水生生物の生物個体にダメージを与えることなく生きたまま採取して濃縮できる水生生物のサンプリング装置及び水生生物のサンプリング方法を提供することを課題とする。
【課題を解決するための手段】
【０００７】
上記課題は、以下の各発明によって解決される。
【０００８】
（請求項１）
内部に貯留水が一定水量となるように調整可能に貯留される貯水容器と、
上端開口及び下端開口を有し、前記貯水容器内の貯留水中に前記上端開口が露出するように浸漬され、前記貯水容器内を外側と内側の２つの空間に区画する濾布と、
前記貯水容器内における前記濾布の外側にある貯留水を排水するための排水口と、
前記濾布の前記下端開口に設けられ、前記貯水容器内の貯留水が排水された際に前記濾布の内側の水生生物を含む水を貯留させて水生生物を収集する収集容器とを備えることを特徴とする水生生物のサンプリング装置。
【０００９】
（請求項２）
内部の貯留水が一定水量となるように調整可能な貯水容器内に、上端開口及び下端開口を有し、前記貯水容器内を外側と内側の２つの空間に区画する濾布と、該濾布の前記下端開口に水生生物を収集するための収集容器とを設置し、予め前記貯水容器内に貯留水を前記濾布の前記上端開口が露出する程度に貯留させ、前記濾布の内側に前記上端開口からサンプリング対象となる水生生物を含む水を供給した後、前記貯水容器内における前記濾布の外側にある貯留水を排水することにより、前記濾布の内側に残留する水生生物を含む水を前記収集容器内に収集することを特徴とする水生生物のサンプリング方法。
【発明の効果】
【００１０】
本発明によれば、水中に含まれる微小な水生生物の生物個体にダメージを与えることなく生きたまま採取して濃縮できる水生生物のサンプリング装置及び水生生物のサンプリング方法を提供することができる。
【発明を実施するための最良の形態】
【００１１】
以下、本発明の実施の形態について図面を用いて説明する。
【００１２】
図１は、本発明に係る水生生物のサンプリング装置の一例を示す概略図である。
【００１３】
図中、１は貯水容器であり、例えば円筒形状に形成されており、内部に貯留水Ｗ１が貯留されている。この貯留水Ｗ１の水位はオーバーフロー管２の上端開口２ａの位置によって決定される。
【００１４】
貯留水Ｗ１は、貯水容器１内の水生生物の棲息環境を維持する観点から、サンプリング対象水を用いることが好ましい。貯留水Ｗ１は、貯水容器１に設けられた不図示の供給口から貯水容器１内に供給される。
【００１５】
貯水容器１の内部には採取対象となる水生生物を採取するための濾布３が浸漬されている。濾布３は、上端開口３ａと下端開口３ｂとを有し、好ましくは上端開口３ａから下端開口３ｂに行くに従って先窄まり状となる略逆円錐形状に形成され、その上端開口３ａが、貯留水Ｗ１の水位よりも上方に露出するように貯留水Ｗ１内に設けられている。これにより、貯水容器１の内部は、濾布３の外側の空間１Ａと濾布３の内側の空間１Ｂとに区画されている。オーバーフロー管２の上端開口２ａは、この濾布３の上端開口３ａよりも下方で、濾布３の下端開口３ｂよりも上方に位置している。
【００１６】
濾布３の目合いは、採取する水生生物の大きさに応じて決定される。例えば５０μｍを超える大きさの水生生物を採取する場合には、５０μｍとなるように形成される。
【００１７】
濾布３の下端開口３ｂには収集容器４が連設されている。収集容器４は、貯水容器１内において最終的に濾布３の内側に残留する水生生物を含む水（濃縮水）を貯留させて水生生物を収集するための容器であり、合成樹脂等によって、貯水容器１よりも十分に小さい例えば漏斗状に形成されている。収集容器４の底部には、開閉弁６によって開閉される採水管５が接続されており、開閉弁６を開放することによって、収集容器４内に貯留、収集された水生生物を含む水（濃縮水）を貯水容器１の外部に採取することができるようになっている。
【００１８】
貯水容器１の底部には排水口７が形成されており、開閉弁８を開放することによって、内部の貯留水Ｗ１を排水できるようになっている。
【００１９】
次に、かかるサンプリング装置を用いた水生生物のサンプリング方法について、図２、図３を用いて説明する。
【００２０】
最初に、図２に示すように、採取しようとする水生生物を含むサンプリング対象水Ｗ２を、貯留水Ｗ１が貯留されている貯水容器１内における濾布３の内側の空間１Ｂに、濾布３の上端開口３ａから供給する。
【００２１】
濾布３の内側にサンプリング対象水Ｗ２が供給されることにより、貯水容器１内の貯水量は増加するが、増加分はオーバーフロー管２からオーバーフローして貯水容器１の外部に排出され、貯水容器１内は常に一定水量に保たれる。このため、濾布３の内側にサンプリング対象水Ｗ２を供給すると、濾布３の内側から外側に向けて余剰水が移動し、濾布３内には該濾布３を通過し得ない採取対象となる大きさの水生生物の量が増加する。
【００２２】
このとき、貯水容器１内には、最初に貯留水Ｗ１が貯留されているため、濾布３の内側に供給されるサンプリング対象水Ｗ２中に含まれる水生生物がいきなり濾過されて濾布３に圧接されることがなく、水生生物の生物個体に濾布３による傷つき等のダメージを与えることを防ぐので、水生生物が死滅することはない。
【００２３】
濾布３の内側にサンプリング対象水Ｗ２を供給した後、開閉弁８を開放して排水口７から貯水容器１内の貯留水Ｗ１を排水すると、濾布３の外側の空間１Ａ内の貯留水Ｗ１のみならず、濾布３の内側の空間１Ｂ内のサンプリング対象水Ｗ２も、濾布３の内側から外側に向けて移動して排水される。従って、濾布３内には該濾布３を通過し得ない水生生物が残留する。
【００２４】
貯水容器１内の貯留水Ｗ１を排水し終えると、又は貯留水Ｗ１の水位が収集容器４よりも下位となる程度まで排水すると、図３に示すように、濾布３の内側に残留する水生生物が濃縮された濃縮水Ｗ３のみが収集容器４内に貯留される。この濃縮水Ｗ３は、濾布３によって濾し取られるような圧力を実質的にかけずに水生生物を濃縮しているため、水生生物が傷つくことなく生きたまま濃縮されている。収集容器４内の濃縮水Ｗ３は、必要により採水管５から貯水容器１外へ取り出される。
【００２５】
このように、本発明に係る水生生物のサンプリング装置及びサンプリング方法によれば、サンプリング対象水中に含まれる水生生物の生物個体にダメージを与えることなく生きたまま採取して濃縮することが可能である。図４〜図７は、本発明に係る水生生物のサンプリング装置及びサンプリング方法によって得られた濃縮水中の水生生物の様子を示しているが、濃縮水は水生生物が生きた正常な状態で濃縮されていることがわかる。
【図面の簡単な説明】
【００２６】
【図１】本発明に係る水生生物のサンプリング装置の一例を示す概略図
【図２】本発明に係る水生生物のサンプリング方法を説明する図
【図３】本発明に係る水生生物のサンプリング方法を説明する図
【図４】本発明に係る水生生物のサンプリング装置及びサンプリング方法によって得られた濃縮水中の水生生物の様子を示す写真
【図５】本発明に係る水生生物のサンプリング装置及びサンプリング方法によって得られた濃縮水中の水生生物の様子を示す写真
【図６】本発明に係る水生生物のサンプリング装置及びサンプリング方法によって得られた濃縮水中の水生生物の様子を示す写真
【図７】本発明に係る水生生物のサンプリング装置及びサンプリング方法によって得られた濃縮水中の水生生物の様子を示す写真
【符号の説明】
【００２７】
１：貯水容器
１Ａ：濾布の外側の空間
１Ｂ：濾布の内側の空間
２：オーバーフロー管
２ａ：上端開口
３：濾布
３ａ：上端開口縁
３ｂ：下端開口縁
４：収集容器
５：採水管
６：開閉弁
７：排水口
８：開閉弁
【図１】
2008286708.tif 000003
【図２】
2008286708.tif 000004
【図３】
2008286708.tif 000005
【図４】
2008286708.tif 000006
【図５】
2008286708.tif 000007
【図６】
2008286708.tif 000008
【図７】
2008286708.tif 000009